(57)【要約】【課題】自然換気方式の換気を行う筐体に適用できるのはもちろん、充分な防水機能が要求される使用条件下であっても問題なく適用できるうえ、装置内部に配置したフィルターの交換を筐体の外面側から簡便に行うことができる換気用の通風装置を提供する。【解決手段】取付開口１の外面に固定される基枠２と、基枠２に開口した通気口３を塞ぐルーバー板４と、基枠２に装着されてルーバー板４から入り込む空気を上向きに変向案内する導風箱５と、防塵用のフィルター６を備えている。ルーバー板４は基枠２に軸１９で軸支されて、通気口３を塞ぐ閉じ位置と、開放位置との間で上開き揺動開閉できる。ルーバー板４と基枠２との間に、ルーバー板４を固定保持する止め具２３と、開放位置においてルーバー板４を受け止めるストッパー２５とを設ける。フィルター６は、ルーバー板４を開放した状態において、ルーバー板４の内面に設けたガイド枠１７に対して上方から出し入れできる。【選択図】        図１
2004342804.tif 000002
【特許請求の範囲】
【請求項１】
取付開口１の外面に固定される基枠２と、基枠２に開口した通気口３を塞ぐルーバー板４と、基枠２に装着されてルーバー板４から入り込む空気を上向きに変向案内する導風箱５と、防塵用のフィルター６を備えており、ルーバー板４は基枠２に軸支されて、通気口３を塞ぐ閉じ位置と、通気口３から外へ突出する開放位置との間で揺動開閉でき、
ルーバー板４と基枠２との間に、ルーバー板４を閉じ位置において固定保持する止め具２３と、ルーバー板４を開放位置において受け止めるストッパー２５とが設けられており、
ルーバー板４の内側に配置したフィルター６が、ルーバー板４と基枠２のいずれか一方に着脱自在に装着されている電気機器ボックスの換気用通風装置。
【請求項２】
ルーバー板４が、基枠２の内面下方に固定した水平の軸１９で上開き揺動可能に軸支されており、
ルーバー板４の内面に固定した左右一対のガイド枠１７に、フィルター６がルーバー板４の上端側から出し入れ可能に装着してある請求項１記載の電気機器ボックスの換気用通風装置。
【請求項３】
ルーバー板４が、基枠２の内面下方に固定した水平の軸１９で、上開き揺動可能に軸支されており、
基枠２の通気口の内面周縁に沿って区画壁１３が突設されており、
ろ過エレメント６ａとその周縁に固定したフィルター枠６ｂとで構成したフィルター６が、区画壁１３に装着されて、止着具４２で固定してある請求項１記載の電気機器ボックスの換気用通風装置。
【請求項４】
フィルター６が自己保形性を有するろ過エレメントで形成してある請求項１から３のいずれかひとつに記載の電気機器ボックスの換気用通風装置。
【発明の詳細な説明】
【０００１】
【発明の属する技術分野】
本発明は、主として屋外に設置される分電盤や配電盤などの電気機器ボックス（以下筐体と言う）に適用される換気用の通風装置、なかでも防塵あるいは防虫用のフィルターを内蔵している自然換気方式の通風装置に関する。
【０００２】
【従来の技術】
防塵用のフィルターを内蔵している換気用の通風装置において、筐体の外面側からフィルター交換を行えるようにすることは公知である（特許文献１、２、３、参照）。本発明の通風装置は、通風口を外面側から覆うルーバー板と、ルーバー板から入り込む空気を上向きに変更案内して、雨や雪の吹き込みを防止する導風箱と、防塵・防虫用のフィルター等で、自然換気方式の通風装置として構成するが、その基本構造は公知である（特許文献４参照）。そこでは、導風箱の上面開口にフィルターを配置している。
【０００３】
特許文献１における通風装置は、筐体の外壁に開口した取付穴に装着される本体と、本体に装填されるフィルターと、本体に装着固定されるカバーと、カバーの外面を覆うフードなどで通風装置を構成している。本体の内奥にはフィルターを受け止める金網が設けてあり、カバーの外面にはルーバー体が形成してある。
【０００４】
特許文献２の通風装置は、筐体の外壁に設けた収容凹部に嵌め込まれる支持枠と、支持枠に対して出し入れできるフィルターユニットとを備えている。支持枠は、収容凹部に設けたピンで揺動開閉可能に軸支されており、支持枠と収容凹部との間に設けた弾性係合爪の係合を解除することにより、支持枠を収容凹部から外向きに開放揺動でき、この開放状態においてフィルターユニットを支持枠から上方へ抜出すことができる。支持枠の外壁には通風穴の一群が開口してあり、容凹部の内側には換気ファンが配置してある。
【０００５】
特許文献３の通風装置は、筐体の外壁に開口した通風口を通気自在なカバーで塞ぎ、カバーの内面にフィルターを着脱可能に収容している。カバーはヒンジを介して揺動開放自在に支持されており、その内面に設けたストッパーで一定の開放角度に開き規制してある。通風口の内面には、カバーと協同してフィルターを挟み保持する押え枠が設けてある。
【０００６】
【特許文献１】
特開２００１−１６４８３７号公報（段落番号００１４、図８）
【特許文献２】
特開平５−２６１２２７号公報（段落番号００１４、図１）
【特許文献３】
特開平６−１７７５６９号公報（段落番号０００８、図３）
【特許文献４】
実公平５−８７１３号公報（第２頁第４欄、第１図）
【０００７】
【発明が解決しようとする課題】
特許文献１の通風装置によれば、空気通路をルーバーやフィルターなどで幾重にも遮断し、さらにカバーの外面を下向きに開口するフードで覆うので、雨水の浸入を確実に防止でき、例えば長時間にわたって暴風雨が吹き荒れる悪条件下であっても、防水効果を確実に発揮できる。反面、フィルター、ルーバー、および金網によって空気通路が幾重にも遮断されるので、通気抵抗が大きくなるのを避けられない。この種の通風装置は、換気ファンを併用して強制換気を行う場合には問題ないが、自然換気方式によって換気を行う場合に適用できない。自然換気方式では、筐体内部の空気の対流作用を利用して換気を行うので、通風装置の通気抵抗が大きいと効果的な換気を行えないからである。フィルター交換を行う場合には、フードおよびカバーを本体から取り外したうえで、フィルターを交換し、再度カバーとフードを本体に組み付ける必要があり、一連の作業に手間が掛かる不利がある。フードが筐体の外へ大きく突き出るので、筐体の設置情況によっては、通風装置を取り付けられないこともある。
【０００８】
この点、特許文献２、および特許文献３の通風装置によれば、支持枠およびカバーを揺動開放するだけの簡単な操作で、フィルター交換を簡便に行える。しかし、これらの通風装置は、フィルターを支持する支持枠およびカバーが、筐体の外壁に直接露出しているので雨水の浸入を防ぐことができず、適用対象が屋内に設置される分電盤やコンピュータユニットなどの筐体に限定される。また、特許文献２の通風装置は、特許文献１の通風装置と同様に、換気ファンを併用する強制換気を前提としており、自然換気方式の筐体に適用できない。
【０００９】
本発明の目的は、自然換気方式によって換気を行う筐体に適用できるのはもちろん、充分な防水機能が要求される使用条件下であっても問題なく適用できるうえ、装置内部に配置したフィルターの交換を筐体の外面側から簡便に行うことができる換気用の通風装置を提供することにある。
【００１０】
【課題を解決するための手段】
本発明の電気機器ボックスの換気用通風装置は、取付開口１の外面に固定される基枠２と、基枠２に開口した通気口３を塞ぐルーバー板４と、基枠２に装着されてルーバー板４から入り込む空気を上向きに変向案内する導風箱５と、防塵用のフィルター６を備えている。ルーバー板４は基枠２に軸支されて、通気口３を塞ぐ閉じ位置と、通気口３から外へ突出する開放位置との間で揺動開閉できる。ルーバー板４と基枠２との間に、ルーバー板４を閉じ位置において固定保持する止め具２３と、ルーバー板４を開放位置において受け止めるストッパー２５とが設けられている。ルーバー板４の内側に配置したフィルター６を、ルーバー板４と基枠２のいずれか一方に着脱自在に装着する。
【００１１】
ルーバー板４は、基枠２の内面下方に固定した水平の軸１９で上開き揺動可能に軸支する。ルーバー板４の内面に固定した左右一対のガイド枠１７に対して、フィルター６をルーバー板４の上端側から出し入れ可能に装着する。
【００１２】
ルーバー板４は、基枠２の内面下方に固定した水平の軸１９で、上開き揺動可能に軸支する。基枠２の通気口の内面周縁に沿って区画壁１３を突設する。ろ過エレメント６ａとその周縁に固定したフィルター枠６ｂとで構成したフィルター６は、区画壁１３に装着されて、止着具４２で固定する。
【００１３】
フィルター６は、自己保形性を有するろ過エレメントで形成する。
【００１４】
【発明の作用効果】
本発明の通風装置では、図１に示すように、取付開口１の外面に基枠２を固定し、この基枠２でルーバー板４を、閉じ位置と開放位置との間で揺動開閉できるようにした。そのうえで、フィルター６を、ルーバー板４と基枠２のいずれか一方に着脱自在に装着するので、フィルター６を交換し、あるいは清掃するような場合には、ルーバー板４を開放操作するだけの簡単な操作で、装置内部に配置したフィルター６の交換を筐体の外面側から手軽に行うことができる。因みに、従来の自然換気方式の通風装置の場合には、分電盤などの管理責任者を立ち合せてドアを開錠してもらったうえで、筐体の内部からフィルター交換を行う必要があったが、そうした煩雑な手間を掛ける必要もなく、誰もが交換作業を行うことができる点で、フィルター交換作業を簡便化できる。
【００１５】
ルーバー板４と導風箱５とで雨水の浸入を防ぎながら、換気空気を確実に取り込むことができるので、自然換気方式によって換気を行う筐体に適用できるのはもちろん、筐体が屋外に設置され、通風装置に充分な防水機能が要求される使用条件下であっても問題なく適用できる。ルーバー板４を止め具２３で閉じ位置に固定保持した状態では、ルーバー板４が基枠２とほぼ面一になるので、使用状態における通風装置が筐体の外面に大きく突出することがなく、筐体の設置情況に左右されることなく通風装置を適用できる利点もある。ストッパー２５でルーバー板４を受け止めて、ルーバー板４の開放量を規制し、フィルター交換時にルーバー板４が過剰に開放するのを防止できるので、フィルター交換作業を安全に行える（請求項１）。
【００１６】
ルーバー板４を軸１９で上開き揺動可能に軸支して、フィルター６をルーバー板４の上端側から出し入れできるようにした通風装置によれば、開放操作した状態のルーバー板４をストッパー２５で受け止めて、ルーバー板４自身の重量で開放状態を維持できるので、ルーバー板４を支え保持する必要がなく、従ってフィルター６の交換作業を簡便に行える（請求項２）。
【００１７】
ろ過エレメント６ａとフィルター枠６ｂとで構成したフィルター６を区画壁１３に装着し、止着具４２で固定するようにした通風装置によれば、フィルター６とルーバー板４との間に緩衝空間となる隙間を確保できるので、フィルター６をルーバー板４の内面に密着配置した場合に比べて、通気開口１６から吹き込む雨水がフィルター６に直接吸収されるのを抑止でき、従って、フィルター６を通り抜ける換気空気によって水滴が導風箱５の内部へ連れ込まれるのをよく防止できる（請求項３）。
【００１８】
自己保形性を有するろ過エレメントで形成したフィルター６によれば、別途用意したフィルター枠でろ過エレメントを支える必要がないので、通風装置のコスト削減に寄与できるうえ、フィルター交換時のフィルター６の出し入れを簡便に行える（請求項４）。
【００１９】
【実施例】
（実施例１）  図１ないし図６に、本発明に係る換気用通風装置の実施例を示す。図１において換気用通風装置は、筐体の外壁に設けた取付開口１の外面に固定される基枠２と、基枠２に開口した通気口３を塞ぐルーバー板４と、基枠２に装着されてルーバー板４から入り込む空気を上向きに変向案内する導風箱５と、防塵用のフィルター６と、取付開口１の内面に配置される押え枠７、およびパッキン８などで構成する。
【００２０】
図３において基枠２は、鋼板やステンレス鋼板製のプレス成形品からなる四角形状の締結ベース１０を有し、その板面に四角形状の通気口３が開口してある。締結ベース１０の周縁は筐体側へ向かって折曲げてあり、この折曲げられた周縁壁を符号１１で示す。締結ベース１０の内面側には８個のスタッドボルト１２が固定してあり、これらのスタッドボルト１２の周回列は取付開口１に嵌め込むことができる。通気口３の内面周縁に沿って角枠状の区画壁１３を突設して、この区画壁１３で囲まれる収容空間Ｓに、フィルター６および後述するガイド枠１７を収容している（図２参照）。
【００２１】
ルーバー板４は、鋼板やステンレス鋼板を素材とするパネル状のプレス成形品からなり、その板面に左右横長のルーバー壁１５が多段状に打ち出し形成してある。ルーバー壁１５は斜め下向きに傾斜してあり、その上下に隣接する通気開口１６から換気用の空気を取り込む。図４および図５に示すように、ルーバー板４の内面には、左右一対のガイド枠１７が固定してあり、両ガイド枠１７でフィルター６をルーバー板４の上端側から出し入れできるように案内支持している。ルーバー板４は、通気口３を塞ぐ閉じ位置と、通気口３から外へ突出する開放位置との間で、上開き揺動開閉できように基枠２で軸支する。
【００２２】
詳しくは、図６に示すように区画壁１３の縦壁の下部間に水平の軸１９を固定する。さらに先のガイド枠１７の下端に逆Ｊ字状の掛止溝２０を形成して、この掛止溝２０を軸１９に掛止係合することにより、ルーバー板４を揺動可能に軸支している。このように、下端部分が開放された掛止溝２０を介してルーバー板４を軸支することにより、ルーバー板４を基枠２から取り外して、その内面を清掃することができる。ルーバー板４を閉じ位置において固定保持するために、図２に示すように、区画壁１３の上側の横壁中央にブラケット２１を設け、その外面に雌ねじ体２２を固定している。この雌ねじ体２２に、ルーバー板４の外面側から挿通した止めねじ（止め具）２３をねじ込むことによりルーバー板４を固定できる。
【００２３】
ルーバー板４と基枠２との間に、ルーバー板４を開放位置において受け止めるストッパー２５を設ける。図６に示すようにストッパー２５は、ガイド枠１７の下端に溶接した接当ピース２６と、区画壁１３の縦壁の下部に溶接したストッパーピン２７とからなり、図１に示すように、ルーバー板４を閉じ位置から４５度開放した状態において、接当ピース２６をストッパーピン２７で受け止めて、それ以上ルーバー板４が倒れ込むのを規制している。
【００２４】
図１および図２において、導風箱５は、前面および上面へ向かって開口する導風部３０と、導風部３０の前面開口の周縁に張り出される四角枠状のフランジ３１と、導風部３０の前面上部に固定されて、上段のルーバー壁１５を換気空気とともに吹き抜けた雨水の浸入を阻止する邪魔板３２とを一体に備えている。導風部３０は、横断面がコ字状の区壁からなり、その下部を前下がり傾斜させることにより、導風部３０に付着した雨水を円滑に排水できる。フランジ３１には、スタッドボルト１２用の挿通穴３３（図３参照）が形成してある。導風箱５はプラスチック成形品として形成することができ、あるいは鋼板やステンレス鋼板を素材にして形成することができる。図２に示すように、邪魔板３２の上部には、区画壁１３を受け入れる段部３４が折り曲げ形成してある。
【００２５】
防塵用のフィルター６は、不織布と同じ繊維構造の半硬質の板状ハニカム体や、サランハニカムなどを適用できる。この実施例では、日本バイリーン株式会社製の、厚み寸法が１０ｍｍのフィレドンＰＳ／４００（商品名）を、所定の大きさに切断してフィルター６とした。このフィルター６はルーバー板４の内面全体を覆っているが、比較的通気抵抗が小さいので問題なく自然換気を行える。また、適度の自己保形性を備えているので、フィルター枠でろ過エレメントを支える必要がない点でコスト削減に寄与できる。図２に示すように、フィルター６をガイド枠１７に装填した状態においては、その両端が僅かに弾性変形してガイド枠１７で支えられ、さらにその下端が軸１９で受け止められるので、フィルター６がずれ動くことはない。
【００２６】
押え枠７は、鋼板やステンレス鋼板を素材にして、導風箱５のフランジ３１とほぼ同形に打ち抜かれた四角形の枠体からなり、その板面に沿ってスタッドボルト１２用の挿通穴３５（図３参照）が形成してある。パッキン８は、押え枠７と同形に打ち抜かれた四角枠状のゴムパッキンからなり、押え枠７と同様にスタッドボルト１２用の挿通穴３６（図３参照）が形成してある。
【００２７】
通風装置を取り付ける場合には、基枠２のスタッドボルト１２に導風箱５とパッキン８を仮組みする。この状態のユニットを筐体の外面側から組み付けて、スタッドボルト１２を取付開口１に差し込む。さらに、筐体内面側から押え枠７をスタッドボルト１２に組み付け、全てのスタッドボルト１２にナット１４をねじ込んで、基枠２、および導風箱５を筐体に固定する。最後に、ルーバー板４を軸１９に掛止し、フィルター６をルーバー板４に装填したうえで、止めねじ２３でルーバー板４を基枠２に固定して組立を完了する。なお、ルーバー板４は、予め基枠２に組み付けておいてもよい。
【００２８】
以上のように構成した通風装置によれば、ルーバー板４と導風箱５とで雨水の浸入を防ぎながら、筐体内部を自然換気方式によって換気できるうえ、ルーバー板４を開放操作するだけの簡単な操作で、装置内部に配置したフィルター６の交換を筐体の外面側から簡便に行うことができる。筐体の内部に入り込む必要もなくフィルター６の交換を行えるので、例えば分電盤の管理責任者を、フィルター交換作業のためだけに立ち合せてドアを開錠してもらう必要がなく、無資格の作業者であっても、誰もが交換作業を行うことができる。
【００２９】
ルーバー板４の内面にフィルター６を配置するので、虫や雨水が通気開口１６から入り込もうとするのをフィルター６で確実に防止できる。フィルター６に付着した雨水の一部は、換気空気とともに導風箱５へ入り込むが、換気空気が導風箱５で上向きに変向案内される間に、雨水は導風部３０に付着して流下するので、筐体内部へ雨水が浸入することはない。
【００３０】
（実施例２）  図７および図８は本発明に係る換気用通風装置の別の実施例を示す。そこでは、ろ過エレメント６ａとその周縁に固定したフィルター枠６ｂとでフィルター６を構成し、これを区画壁１３に装着するようにした。そのために、区画壁１３の内端に四角枠状の装着壁４０を付加し、その下部壁面にフィルター枠６ｂを係合支持する水平の受枠４１を固定し、上部壁面の左右２箇所にフィルター枠６ｂを押保持する弾性片（止着具）４２を設けた。装着壁４０の左右の縦壁には、フィルター６の左右遊動を規制する規制片４３を設けた。この実施例２におけるろ過エレメント６ａは、必ずしも自己保形性を備えている必要はなく、たとえば発泡樹脂などの軟質のろ過エレメントであってもよい。
【００３１】
フィルター６を斜めに倒した状態で、フィルター枠６ｂの下端を受枠４１に差し込み係合したのち、フィルター枠６ｂの上端を弾性片４２に宛がい、その状態のままでフィルター６を弾性片４２の弾性に抗して押し込み操作すると、フィルター６を装着壁４０に密着固定できる。フィルター６を取り外すときは、ドライバーなどの工具をフィルター枠６ｂの上部と装着壁４０との間に差し込んでこじることにより、フィルター枠６ｂを弾性片４２の弾性に抗して分離できる。
【００３２】
なお、この実施例２では、フィルター板４に軸受片４４を固定し、区画壁１３に固定した軸１９で軸受片４４を回転自在に軸支した。軸受片４４には接当ピース２６が一体に設けてあり、その突端が装着壁４０に接当することでルーバー板４の開放量を規制できるようにした。他は先の実施例と同じであるので、同じ部材に同じ符号を付してその説明を省略する。以下の実施例においても同じ扱いとする。
【００３３】
実施例２の通風装置によれば、フィルター６を装着壁４０に取り付けた状態において、ルーバー板４の内側へ虫や雨水が入り込む余地がある。しかし、装着壁４０に設けた通気用の開口がフィルター６で確実に塞いであるうえ、ルーバー板４とフィルター６との間に、ルーバー壁１５の内面で跳ね返った雨滴の分離を促す隙間が形成されるので、雨水や虫が導風箱５側へ入り込むことはない。
【００３４】
（実施例３）  図９は止め具２３の別の実施例を示す。そこでは、ルーバー板４の内面上部に固定した丸棒状のピン４５と、ピン４５を係合捕捉する板ばね製のキャッチ具４６とで止め具２３を構成し、ルーバー板４を基枠２に対して単に押し込み操作するだけで、閉じ位置に保持固定できるようにした。ルーバー板４を開放するときは、その上縁をドライバーなどの工具でこじると、ピン４５をキャッチ具４６から分離できる。
【００３５】
（実施例４）  図１０は通風装置の別の実施例を示す。そこでは、実施例２における止着具４２に代えて、磁石４８でフィルター６を装着壁４０に吸着固定できるようにした。磁石４８は装着壁４０の側に固定し、フィルター枠６ｂの上端に磁石４８で吸着される吸着片４９を固定する。
【００３６】
上記以外に、ルーバー板４は横開き揺動可能に軸支することができ、その場合にはフィルター６をルーバー板４に対して横方向へ出し入れし、あるいは先の実施例と同様に上下方向へ出し入れすることができる。必要があれば、ルーバー板４を下開き揺動自在に軸支することができる。区画壁１３は省略でき、その場合には、ルーバー板４を導風箱５に固定した軸で揺動開閉可能に軸支できる。
【００３７】
実施例１におけるフィルター６は実施例２のフィルター６と同様にフィルター枠６ｂを含んで構成することができ、その場合には、例えばゴム磁石をルーバー板４の側に固定しておいて、フィルター６を吸着固定することができる。同様に、ルーバー板４の全体を、装着壁４０に対して磁石で吸着固定することができる。この場合の磁石は止着具４２に相当する。
【図面の簡単な説明】
【図１】ルーバー板を開放した状態の通風装置の縦断側面図である。
【図２】使用状態における通風装置の縦断側面図である。
【図３】通風装置の分解斜視図である。
【図４】ルーバー板の軸支構造を示す一部破断正面図である。
【図５】図４におけるＡ−Ａ線断面図である。
【図６】ルーバー板の軸支構造とストッパー構造を示す分解斜視図である。
【図７】実施例２に係るフィルターの装着構造を示す縦断側面図である。
【図８】ルーバー板を取り外した状態でフィルターの装着構造を示す正面図である。
【図９】実施例３に係るルーバー板の止め付け構造を示す縦断側面図である。
【図１０】実施例４に係るルーバー板の止め付け構造を示す縦断側面図である。
【符号の説明】
１  取付開口
２  基枠
３  通気口
４  ルーバー板
５  導風箱
６  フィルター
２３  止めねじ
２５  ストッパー
【図１】
2004342804.tif 000003
【図２】
2004342804.tif 000004
【図３】
2004342804.tif 000005
【図４】
2004342804.tif 000006
【図５】
2004342804.tif 000007
【図６】
2004342804.tif 000008
【図７】
2004342804.tif 000009
【図８】
2004342804.tif 000010
【図９】
2004342804.tif 000011
【図１０】
2004342804.tif 000012